(57)【要約】 【課題】  扁平形状又は逆円錐形状で、かつ下方部分が包装されたクレープ菓子の持ち帰りを簡単に実現する包装材を提供する。【解決手段】  携帯可能（持ち手１１を有する）で且つクレープ菓子Ａの高さに充分に対応できる高さを有する包装箱（必要に応じて備える）１と、クレープ横断面に対応する適宜大きさの透孔２３を複数穿設した上面板部２１を備えると共に、前記包装箱に内装され得る上げ底部材（包装箱を備えないときは保持板部材）２と、前記透孔に嵌合起立可能で、且つ下方部分を包装したクレープを起立保持させるに充分な高さを備えた包装クレープ保持用の筒体３とで構成される。【選択図】図３
0003103083.tif 000002
【実用新案登録請求の範囲】
【請求項１】
クレープ横断面に対応する適宜大きさの透孔を複数穿設した上面板部を備えた保持板部材と、前記透孔に嵌合起立可能で、且つ下方部分を包装したクレープを起立保持させるに充分な高さを備えた包装クレープ保持用の筒体とで構成されることを特徴とするクレープ持ち帰り用包装材。
【請求項２】
携帯可能で且つクレープの高さに充分に対応できる高さを有する包装箱を備えると共に、保持板部材を前記包装箱に内装され得る上げ底部材としてなる請求項１記載のクレープ持ち帰り用包装材。
【請求項３】
上面板部の対向縁又は周縁に、適宜高さに保持する脚面部を備えてなる上げ底部材を採用してなる請求項２記載のクレープ持ち帰り用包装材。
【請求項４】
筒体を逆錐台形状に形成してなる請求項１乃至３記載の何れかのクレープ持ち帰り用包装材。
【請求項５】
筒体の適宜高さ周面に、上面板に載置される鍔部を設けてなる請求項１乃至３記載の何れかのクレープ持ち帰り用包装材。
【請求項６】
上面板部の透孔及び筒体横断面を扁平矩形としてなる請求項４又は５記載のクレープ持ち帰り用包装材。
【請求項７】
上面板部の透孔及び筒体横断面を円形としてなる請求項４又は５記載のクレープ持ち帰り用包装材。
【考案の詳細な説明】
【技術分野】
【０００１】
本考案はクレープを持ち帰るのに使用する包装材に関するものである。
【背景技術】
【０００２】
クレープ菓子は周知の通り薄く焼いた生地に所望のトッピングを施し、この生地を逆三角形に丸めたり折り畳んで、三角の頂点側のみを包装紙で包み、包装紙部分を持って食するようにしている。
【０００３】
前記のクレープ菓子は、食品の一部が包装部分より露出しているので、一般には、店舗内で食するほか、歩きながら食するもので通常持ち帰りについては考慮されていない。
【０００４】
特にクレープの持ち帰り可能な容器としては、実開昭６１−２７８０９号広報（特許文献１）に、クレープ全体を包むと共に上下分離でき、上部包装部分を分離して通常の包装状態に近似した状態として食することができる扁平密閉容器が開示されている。
【０００５】
また実公平３−２６０９７号公報（特許文献２）には、下方を塞いだ逆錐台形状の容器部と透明ドーム形状の蓋部とで構成される容器が開示されている。
【０００６】
【特許文献１】実開昭６１−２７８０９号公報。
【特許文献２】実公平３−２６０９７号公報。
【考案の開示】
【考案が解決しようとする課題】
【０００７】
前記のとおりクレープ菓子の持ち帰りに際しては、従前では、１個毎の独立包装であり、且つ特殊な包装具が必要であったので、現状ではクレープ菓子の持ち帰りはなされていない。
【０００８】
そこで本考案は、複数のクレープ菓子を持ち帰ることのできる簡単な構成の包装材を提案したものである。
【課題を解決するための手段】
【０００９】
本考案に係るクレープ持ち帰り用包装材（請求項１）は、クレープ横断面に対応する適宜大きさの透孔を複数穿設した上面板部を備えた保持板部材と、前記透孔に嵌合起立可能で、且つ下方部分を包装したクレープを起立保持させるに充分な高さを備えた包装クレープ保持用の筒体とで構成されることを特徴とするものである。
【００１０】
従って筒体を保持部材の上面板に嵌合装着し、通常包装のクレープを筒体に差し入れると、保持板部材を保持携帯することで複数のクレープの持ち帰りができる。
【００１１】
また本考案（請求項２）は、前記の保持板部材及び筒体に更に携帯可能で且つクレープの高さに充分に対応できる高さを有する包装箱を備えると共に、保持板部材を前記包装箱に内装され得る上げ底部材としてなるもので、前記と同様に筒体を上げ底部材の上面板に嵌合装着し、包装箱の底方に内置し、通常包装のクレープを筒体に差し入れることでクレープが包装箱内に起立収納され、包装箱の携帯によって複数のクレープを持ち帰えることができる。
【００１２】
また本考案（請求項３）は、前記包装材において、上面板部の対向縁又は周縁に、適宜高さに保持する脚面部を備えてなる上げ底部材を採用してなるもので、これによって筒体を嵌合装着した上げ底部材が、包装箱外でも安定するので、上げ底部材を予め組み込んだ包装箱を採用することなく、クレープを起立収納した後に包装箱の周面部分を立ち上げて包装箱を組み立てる構成も可能となる。
【００１３】
更に本考案（請求項４，５）は、筒体を逆錐台形状に形成したり、周面に上面板に載置される鍔部を設けてなるもので、筒体が透孔から抜け出ることなく確実に起立嵌合装着することができる。
【考案の効果】
【００１４】
本考案は以上の構成を採用したものであるから、通常の下方部分のみ包装したクレープ菓子を、複数当該形状を維持したまま簡単に包装することができ、持ち帰り可能となるものである。
【考案を実施するための最良の形態】
【００１５】
次に本考案の実施形態について説明する。実施形態に示した包装材は、包装箱１と、上げ底部材（保持板部材）２と、筒体３とで構成される。
【００１６】
包装箱１は、適宜な組立構造を採用できるもので、上開口タイプでも側面開口タイプでも良いが、起立したクレープ菓子Ａが充分に収納される高さを備える必要があり、携帯（持ち帰り）に便利なように適宜な持ち手１１を備える。
【００１７】
上げ底部材２は、上面板部２１と、上面板部の周縁に設けた脚面部２２からなる扁平伏せ箱形状で、前記包装箱１にちょうど入る大きさとしたもので、上面板部２１には、起立収納するクレープ菓子Ａが接触しない間隔で透孔２３を複数穿設する。透孔２３はクレープ菓子Ａに対応する扁平矩形に形成する。
【００１８】
筒体３は、扁平矩形の逆錐台形状に形成したもの３ａや、周面適宜高さに鍔部３１を設けたもの３ｂ等を選択的に使用できるもので、前記筒体３（３ａ，３ｂ）は透孔２３に嵌合装着して起立可能で且つ筒体３内に挿入したクレープ菓子Ａが起立できるのに充分な高さを有するものである。
【００１９】
即ち逆錐台形状の筒体３ａは、透孔２３に押し込むことで密嵌して起立状態が保持され、鍔付き筒体３ｂは、透孔２３に差し入れると鍔部３１が上面板部２１の上面に載置されることになって起立状態が保持されることになる。
【００２０】
而して上げ底部材２に筒体３を嵌合装着し、クレープ菓子Ａの下部包装部分ａを筒体３に差込み起立させるもので、例えば上部開口包装箱では、予め筒体３を装着した上げ底部材２を包装箱内に組み込んでおいて、上部開口から順次クレープ菓子Ａを筒体３に差し入れ、上分開口を塞いで包装するようにし、側面開口の包装箱を採用した場合には、筒体３にクレープ菓子Ａを差し入れた状態として、上げ底部材ごと包装箱に収納するようにすれば良い。
【００２１】
従って菓子本体（クレープ）ｂを折り畳み、下方部分を包装ａした通常のクレープ菓子Ａをそのまま携帯可能な包装箱１に簡単に収納できるもので、クレープ菓子Ａの持ち帰りが容易になされるものである。
【００２２】
また前記の実施形態は、折り畳みによる扁平形状のクレープ菓子Ａを例としたが、円錐形状に巻くクレープ菓子の場合には、図４に例示したとおり、上面板２１に円形の透孔２３ａを形成した上げ底部材２ａと、逆円錐台形状の筒体３ｃや円筒状の鍔付き筒体３ｄとの組み合わせを採用すれば良いものである。
【００２３】
更に本考案においては、扁平クレープと円錐クレープの何れにも対応できるように上げ底部材２に異なる形状の透孔を穿設しておき、選択的に使用することも可能である。更に上げ底部材は、脚面を備えずに筒体の底部が包装箱内底面と当接するよう、上面板部のみの上げ底部材と筒体の組み合わせを採用しても良い。
【００２４】
また本考案は包装箱１を採用せずに、所定の透孔を備えた保持部材と筒体とで構成しても良く、筒体を保持板部材の透孔に装着し、各筒体にクレープ菓子Ａを差し入れ、保持板部材をトレーのようにして持ち運んだり、必要に応じて保持板部材に釣り手を付設し、釣り手を持って運ぶことで、複数のクレープ菓子の持ち帰り（運搬）が可能となるものである。
【図面の簡単な説明】
【００２５】
【図１】本考案の実施形態の説明図（上げ底部材と筒体の斜視図）。
【図２】同使用状態の説明図（断面図）。
【図３】同使用状態の説明図（断面斜視図）。
【図４】同上げ底部材と筒体の別例の斜視図。
【符号の説明】
【００２６】
１            包装箱
１１          持ち手
２，２ａ      上げ底部材（保持部材）
２１          上面板部
２２          脚面部
２３，２３ａ  透孔
３（３ａ，３ｂ，３ｃ，３ｄ）  筒体
３１          鍔部
【図１】
0003103083.tif 000003
【図２】
0003103083.tif 000004
【図３】
0003103083.tif 000005
【図４】
0003103083.tif 000006